(57)【要約】      （修正有）【課題】安全性を確保しつつ、安全装置のために配置スペースが大型化することを抑制した接続モジュールの提供。【解決手段】一対の電極端子２２Ｐ，２２Ｎを有する蓄電素子が複数並んで構成される蓄電素子群に取り付けられる接続モジュール４０であって、蓄電素子の電極端子２２Ｐ，２２Ｎが接続される複数の接続バスバ５０および複数の出力バスバ５５と、複数の接続バスバ５０および複数の出力バスバ５５を保持する保持部材８０と、出力バスバ５５に接続されたヒューズ７０とを備え、ヒューズ７０は、保持部材８０において複数の蓄電素子の一対の電極端子２２Ｐ，２２Ｎ間に亘って設けられた電極間領域Ａ１に配置されている構成とした接続モジュール４０。【選択図】図２
2020009583.tif 000002
【特許請求の範囲】
【請求項１】
一対の電極端子を有する蓄電素子が複数並んで構成される蓄電素子群に取り付けられる接続モジュールであって、
前記蓄電素子の前記電極端子が接続される複数のバスバと、
前記複数のバスバを保持する保持部材と、
前記バスバに接続された電流遮断素子とを備え、
前記電流遮断素子は、前記保持部材において前記複数の蓄電素子の前記一対の電極端子間に亘って設けられた電極間領域に配置されている接続モジュール。
【請求項２】
前記複数の蓄電素子は、前記複数のバスバによって直列に接続されており、
前記複数のバスバのうち、直列に接続された前記複数の蓄電素子の端部に接続された前記バスバは、前記蓄電素子群の一の極性の電力を出力する出力バスバとされており、
前記電流遮断素子は、前記出力バスバに接続されている請求項１に記載の接続モジュール。
【請求項３】
前記電流遮断素子は、前記複数のバスバのうち前記蓄電素子群の一の極性の電力を出力する出力バスバに接続される第１リード部と、外部機器用の外部接続バスバに接続される第２リード部と、前記第１リード部と前記第２リード部との間の電流を遮断する素子本体と、前記蓄電素子の状態を検知する基板からの出力を受けて前記素子本体において前記第１リード部と前記第２リード部との間の電流を遮断する第３リード部とを有しており、
前記第１リード部と前記第２リード部は、前記素子本体の両側において前記電極間領域に配されており、
前記第３リード部は、前記複数のバスバのうち前記蓄電素子の並び方向に沿って並ぶ前記バスバの間に設けられたバスバ間領域に配置されている請求項１または請求項２に記載の接続モジュール。
【請求項４】
一対の電極端子を有する蓄電素子が複数並んで構成される蓄電素子群と、前記蓄電素子群に取り付けられる接続モジュールとを備えた蓄電モジュールであって、
前記蓄電素子の前記電極端子が接続される複数のバスバと、
前記複数のバスバを保持する保持部材と、
前記バスバに接続された電流遮断素子とを備え、
前記電流遮断素子は、前記保持部材において前記複数の蓄電素子の前記一対の電極端子間に亘って設けられた電極間領域に取り付けられている蓄電モジュール。
【発明の詳細な説明】
【技術分野】
【０００１】
本明細書によって開示される技術は、接続モジュールおよび蓄電モジュールに関する。
【背景技術】
【０００２】
例えば、複数の電池モジュールにより構成されるバッテリスタックに取り付けられるバスバモジュールとして、特開２０１７−１９９５６３号公報（下記特許文献１）に記載のものが知られている。このバスバモジュールは、バスバを保持する絶縁性のモジュール本体を有しており、バスバモジュールがバッテリスタックに装着されたときに、バスバが各蓄電モジュールの端子に接続されて複数の電池モジュールが直列に接続される。
【先行技術文献】
【特許文献】
【０００３】
【特許文献１】特開２０１７−１９９５６３号公報
【発明の概要】
【発明が解決しようとする課題】
【０００４】
ところで、上記のバスバモジュールは、直列に接続された電池モジュールの間にバスバモジュールとは別にヒューズ等の電流遮断素子を有する安全装置を設け、安全性を確保している。
【０００５】
しかしながら、上記のバスバモジュールは、バスバモジュールとは別に安全装置のためのスペースを確保する必要があり、設計自由度が小さくなる。また、安全装置のためのスペースを確保する必要があるため、安全装置を含むバスバモジュールの配置スペースが大型化することが懸念される。
【０００６】
本明細書では、安全性を確保しつつ、バスバモジュールに相当する接続モジュールの配置スペースが大型化することを抑制する技術を開示する。
【課題を解決するための手段】
【０００７】
本明細書によって開示される技術は、一対の電極端子を有する蓄電素子が複数並んで構成される蓄電素子群に取り付けられる接続モジュールであって、前記蓄電素子の前記電極端子が接続される複数のバスバと、前記複数のバスバを保持する保持部材と、前記バスバに接続された電流遮断素子とを備え、前記電流遮断素子は、前記保持部材において前記複数の蓄電素子の前記一対の電極端子間に亘って設けられた電極間領域に配置されている構成とした。
【０００８】
また、本明細書によって開示される技術は、一対の電極端子を有する蓄電素子が複数並んで構成される蓄電素子群と、前記蓄電素子群に取り付けられる接続モジュールとを備えた蓄電モジュールであって、前記蓄電素子の前記電極端子が接続される複数のバスバと、前記複数のバスバを保持する保持部材と、前記バスバに接続された電流遮断素子とを備え、前記電流遮断素子は、前記保持部材において前記複数の蓄電素子の前記一対の電極端子間に亘って設けられた電極間領域に取り付けられている構成とした。
【０００９】
このような構成の接続モジュールおよび蓄電モジュールによると、本来であればデッドスペースとなる一対の電極端子間の電極間領域に電流遮断素子が配置されているから、接続モジュールとは別に電流遮断素子を有する安全装置を別途構成することを不要とするだけでなく、接続モジュールが大型化することを抑制しつつ、安全性を確保することができる。したがって、例えば、蓄電モジュールを構成する場合においても、安全性を確保しつつ、蓄電モジュール内の設計自由度を向上させることができると共に、蓄電モジュールが大型化することを抑制することができる。
【００１０】
本明細書によって開示される接続モジュールは、以下の構成としてもよい。
前記複数の蓄電素子は、前記複数のバスバによって直列に接続されており、前記複数のバスバのうち、直列に接続された前記複数の蓄電素子の端部に接続された前記バスバは、前記蓄電素子群の一の極性の電力を出力する出力バスバとされており、前記電流遮断素子は、前記出力バスバに接続されている構成としてもよい。
【００１１】
一般に、複数の蓄電素子が直列に接続された蓄電素子群の一の極性の電力を出力する出力バスバに接続される電流遮断素子は、蓄電素子群の出力に合わせて大型化する傾向にある。しかしながら、本構成によると、電流遮断素子は、本来であればデッドスペースとなる電極間領域に取り付けられているから、電流遮断素子が大きくなる場合においても、接続モジュールが大型化することを抑制することができ、非常に有効である。
【００１２】
前記電流遮断素子は、前記出力バスバに接続される第１リード部と、外部機器用の外部接続バスバに接続される第２リード部と、前記第１リード部と前記第２リード部との間の電流を遮断する素子本体と、前記蓄電素子の状態を検知する基板からの出力を受けて前記素子本体において前記第１リード部と前記第２リード部との間の電流を遮断する第３リード部とを有しており、前記第１リード部と前記第２リード部は、前記素子本体の両側において前記電極間領域に配されており、前記第３リード部は、前記複数のバスバのうち前記蓄電素子の並び方向に沿って並ぶ前記バスバの間に設けられたバスバ間領域に配置されている構成としてもよい。
【００１３】
このような構成によると、蓄電素子群と外部機器とに接続される第１リード部および第２リード部を、電極間領域に配するだけでなく、本来であればデッドスペースとなるバスバの間のバスバ間領域に第３リード部を配置しているから、第３リード部を配置するスペースを別途設ける必要がなく、接続モジュールが大型化することを抑制することができる。
【発明の効果】
【００１４】
本明細書によって開示される技術によれば、安全性を確保しつつ、接続モジュールの配置スペースが大型化することを抑制することができる。
【図面の簡単な説明】
【００１５】
【図１】蓄電モジュールの斜視図
【図２】蓄電モジュールの平面図
【図３】図２のＡ−Ａ線断面図
【図４】接続モジュールの平面図
【図５】外部接続バスバが取り外された接続モジュールの斜視図
【図６】ヒューズが取り外された接続モジュールの斜視図
【発明を実施するための形態】
【００１６】
＜実施形態＞
本明細書に開示された技術における一実施形態について図１から図６を参照して説明する。
本実施形態は、車両に搭載されるエンジン始動用の低圧の蓄電モジュール１０を例示している。蓄電モジュール１０は、複数の蓄電素子２１によって構成される蓄電素子群２０と、蓄電素子群２０に組み付けられる接続モジュール４０と、蓄電素子群２０が内部に収容されて接続モジュール４０が上部に固定されるケースＣとを備えて構成されている。
【００１７】
蓄電素子２１は、ラミネート型の電池であり、全体として扁平な直方体状に構成されている。各蓄電素子２１は、図３に示すように、蓄電要素をラミネートフィルムによって包むとともに縁部を溶着した電池本体２１Ａと、蓄電要素に接続されるとともに電池本体２１Ａの一縁である上縁から外側に突出する一対の電極端子２２とを備えて構成されている。一対の電極端子２２は、それぞれが箔状に形成されており、図１および図２に示すように、一方が正極端子２２Ｐとされ、他方が負極端子２２Ｎとされている。
【００１８】
各蓄電素子２１は、図３に示すように、電極端子２２が隣り合うように前後方向に複数（本実施形態では４つ）重ねて並べることにより蓄電素子群２０を構成している。互いに隣り合う蓄電素子２１は、図２に示すように、互いに異なる極性の電極端子２２が隣り合うように（一の蓄電素子２１の正極端子２２Ｐと、これと隣り合う他の蓄電素子２１の負極端子２２Ｎとが互いに隣り合うように）配置されている。
【００１９】
ケースＣは、合成樹脂製であって、図１に示すように、上方に向かって開口する箱形状に形成されている。ケースＣ内には、蓄電素子群２０の蓄電素子２１が上端開口から完全に収容されるようになっており、接続モジュール４０が、図１および図２に示すように、蓄電素子群２０が収容されたケースＣの上端開口を塞ぐようにケースＣに組み付けられている。
【００２０】
接続モジュール４０は、図１から図６に示すように、全体としては前後方向よりも左右方向に長い形態をなしており、蓄電素子２１の電極端子２２に接続される複数のバスバ４１と、複数のバスバ４１を保持する保持部材８０とを備えている。
【００２１】
バスバ４１は、例えば、銅、銅合金、アルミニウム、アルミニウム合金、ステンレス鋼（ＳＵＳ）などの導電性に優れた金属板や、アルミニウム板と銅板とを貼り合せた金属板などをプレス加工するなどして形成されている。本実施形態では、後述する接続バスバは、アルミニウム板と銅板とによって構成された、いわゆるクラッド材によって形成されており、後述する出力バスバは、出力する極性に合わせて選択される。
【００２２】
複数のバスバ４１は、隣り合う蓄電素子２１の電極端子２２同士を接続する複数の接続バスバ５０と、蓄電素子２１の電極端子２２に接続されて蓄電素子群２０の電力を出力する複数の出力バスバ５５とを含んで構成されている。
【００２３】
接続バスバ５０は、図２、図４および図５に示すように、接続モジュール４０の一方側である右側に配された２つと、他方側である左側の前後方向略中央部に配された１つの合計３箇所に配置されており、右側配された接続バスバ５０は、蓄電素子２１の右側の電極端子２２同士を接続する接続バスバ５０とされ、左側配された接続バスバ５０は、蓄電素子２１の左側の電極端子２２同士を接続する接続バスバ５０とされている。
【００２４】
各接続バスバ５０は、長い略矩形状の平板状をなすバスバ本体５１を有しており、バスバ本体５１の前後方向両側の側縁部には、前後方向に隣り合う蓄電素子２１の電極端子２２が上方から載置され、溶接等によって電気的に接続されるようになっている。また、バスバ本体５１の左右方向の一方の端部５１Ａには、突出する係止突部５２が設けられ、バスバ本体５１の左右方向の他方の端部５１Ｂには、凹んで設けられた係止凹部５３が設けられている。
【００２５】
出力バスバ５５は、図２、図４および図５に示すように、接続モジュール４０の左側における前後方向両端部の２箇所に配置されている。出力バスバ５５のうち前側に配された前側出力バスバ５５Ｆは、接続バスバ５０に比べて左右方向に長い形態とされている。
【００２６】
前側出力バスバ５５Ｆの左右方向略中央部よりも左側の部分は前側バスバ本体５６とされ、前側バスバ本体５６の前側縁部は、蓄電素子２１の電極端子２２が上方から載置され、電極端子２２が溶接等によって電気的に接続されるようになっている。前側出力バスバ５５Ｆの右側端部は、曲げ部５５Ａを介して前側バスバ本体５６よりも一段高く形成された前側ボルト締結部５７とされている。
【００２７】
出力バスバ５５のうち後側に配された後側出力バスバ５５Ｒは、前側出力バスバ５５Ｆと同様、接続バスバ５０に比べて左右方向に長い形態とされている。後側出力バスバ５５Ｒの左右方向略中央部よりも右側の部分は後側バスバ本体５８とされ、後側バスバ本体５８の後側縁部は、蓄電素子２１の電極端子２２が上方から載置されて、電極端子２２が溶接等によって電気的に接続されるようになっている。後側出力バスバ５５Ｒの左側端部は、曲げ部５５Ｂを介して後側バスバ本体５８よりも一段高く形成された後側ボルト締結部５９とされている。
【００２８】
また、各接続バスバ５０および各出力バスバ５５の端部には、各バスバ４１の電圧を検出する為の電圧検知線Ｗが接続されており、これらの電圧検知線Ｗは、コネクタＣＮを介して接続モジュール４０に装着される基板Ｐに接続されるようになっている。
【００２９】
保持部材８０は、合成樹脂製であって、図３、図５および図６に示すように、やや厚みのある略矩形状の本体部８１を有している。本体部８１の表裏両面のうちの表面（上面）には、接続バスバ５０を保持する複数の接続バスバ保持部８２と、出力バスバ５５を保持する複数の出力バスバ保持部９０とが設けられている。
【００３０】
本実施形態では、本体部８１の左右方向略中央部よりも一方側（図４の右側）に２つの接続バスバ保持部８２が前後方向に並列して配置されており、本体部８１の略中央部よりも他方側（図４の左側）に１つの接続バスバ保持部８２が設けられている。また、本体部８１の左側の接続バスバ保持部８２の前後方向両側には、２つの出力バスバ保持部９０が接続バスバ保持部８２と前後方向に並列して配置されている。
【００３１】
右側の２つの接続バスバ保持部８２と、左側の前後方向略中央部に配された接続バスバ保持部８２は、図２および図６に示すように、接続バスバ５０が載置されるバスバ載置部８３と、バスバ載置部８３の前後方向両側に設けられた一対の挿通孔８４と、バスバ載置部８３の左右方向両側にそれぞれ設けられたバスバ受部８６とバスバ嵌合片８７とを備えている。
【００３２】
バスバ載置部８３は、平面視略矩形状をなし、バスバ載置部８３の前後左右の長さ寸法は、接続バスバ５０の前後左右の長さ寸法とほぼ同じ大きさに設定されている。
【００３３】
各挿通孔８４は、本体部８１を板厚方向である上下方向に貫通して形成されており、バスバ載置部８３の前後両側縁に沿って配置されている。各挿通孔８４には、接続モジュール４０をケースＣに組み付けた際に、ケースＣ内に配された蓄電素子群２０の電極端子２２が下方から挿通されるようになっている。そして、挿通孔８４に挿通された電極端子２２は、図１および図２に示すように、接続バスバ５０側に折り曲げられてバスバ本体５１上に載置され、各接続バスバ５０に接続されている。
【００３４】
つまり、蓄電素子群２０の前から２つの蓄電素子２１における右側の電極端子２２が右前の接続バスバ５０と、蓄電素子群２０の前から２番目と３番目の蓄電素子２１における左側の電極端子２２が左側の接続バスバ５０と、蓄電素子群２０の後から２つの蓄電素子２１における右側の電極端子２２が右後の接続バスバ５０と接続されることで、蓄電素子群２０における全ての蓄電素子２１が直列に接続されるようになっている。
また、全ての蓄電素子２１が直列に接続されると、前側出力バスバ５５Ｆおよび後側出力バスバ５５Ｒが、蓄電素子群２０の正極もしくは負極の何れか一方の電力を出力する出力バスバ５５となる。
【００３５】
バスバ受部８６は、本体部８１から上方に突出した形態をなしている。バスバ受部８６のバスバ載置部８３側の端部は、接続バスバ５０の係止突部５２が挿入可能とされており、バスバ受部８６に係止突部５２が挿入されると、バスバ受部８６が係止突部５２を前後方向および上方に移動しないよう係止するようになっている。
【００３６】
バスバ嵌合片８７は、左右方向に弾性変形可能な弾性片８７Ａの上端部にバスバ載置部８３側に向かって突出する係止爪８７Ｂが設けられた形態とされている。バスバ嵌合片８７は、接続バスバ５０が係止突部５２をバスバ受部８６に挿入した状態でバスバ載置部８３に載置されると、弾性片８７Ａが係止凹部５３内に嵌合され、係止爪８７Ｂとバスバ本体５１とが上下方向に係止することで接続バスバ５０の上方への離脱を規制する。これにより、接続バスバ５０が接続バスバ保持部８２によって保持されるようになっている。
【００３７】
一方、出力バスバ保持部９０は、出力バスバ５５が載置される出力バスバ載置部９１と、出力バスバ載置部９１の前後方向両側に設けられた一対の挿通孔９２と、出力バスバ載置部９１の左右方向両側にそれぞれ設けられたバスバ受部９３とバスバ嵌合片９４とを備えている。なお、出力バスバ保持部９０のバスバ受部９３およびバスバ嵌合片９４は、接続バスバ保持部８２と同様の構成とされているため、説明を省略する。
【００３８】
後側の出力バスバ保持部９０の出力バスバ載置部９１は、接続バスバ保持部８２のバスバ載置部８３よりも左側に大きい形態とされ、本体部８１の左側後端部に設けられた締結台座９５に亘って設けられている。締結台座９５には、後側出力バスバ５５Ｒが保持部材８０に載置された際に、後側出力バスバ５５Ｒの後側ボルト締結部５９が載置されるようになっている。また、後側の出力バスバ保持部９０における一対の挿通孔９２は、左右方向の長さ寸法が左側の接続バスバ保持部８２における挿通孔８４の左右方向の長さ寸法とほぼ同じ大きさに設定されており、接続バスバ保持部８２の挿通孔８４と後側の出力バスバ保持部９０の挿通孔９２とは前後方向に真っ直ぐ一列に並んで配置されている。
【００３９】
前側の出力バスバ保持部９０の出力バスバ載置部９１は、接続バスバ保持部８２のバスバ載置部８３よりも右側に大きい形態とされ、本体部８１の左右方向略中央部に設けられた前側中央台座９６に亘って設けられている。前側中央台座９６には、前側出力バスバ５５Ｆが保持部材８０に載置された際に、前側出力バスバ５５Ｆの前側ボルト締結部５７が載置されるようになっている。また、前側の出力バスバ保持部９０における一対の挿通孔９２は、左右方向の長さ寸法が左側の接続バスバ保持部８２における挿通孔８４の左右方向の長さ寸法とほぼ同じ大きさに設定されており、接続バスバ保持部８２の挿通孔８４と前側の出力バスバ保持部９０の挿通孔９２とは前後方向に真っ直ぐ一列に並んで配置されている。
【００４０】
さて、保持部材８０における左右方向略中央部は、図２から図６に示すように、右側の接続バスバ保持部８２における挿通孔８４に挿通された右側の複数の電極端子２２と、左側の接続バスバ保持部８２および出力バスバ保持部９０における挿通孔８４，９２に挿通された左側の複数の電極端子２２との間に亘って設けられた電極間領域Ａ１とされ、この電極間領域Ａ１には、ヒューズ（「電流遮断素子」の一例）７０が取り付けられている。
【００４１】
電極間領域Ａ１は、蓄電素子群２０の複数の蓄電素子２１における一対の電極端子２２間に亘って設けられた領域であって、保持部材８０において接続バスバ５０、前側出力バスバ５５Ｆの前側バスバ本体５６および後側出力バスバ５５Ｒが配されない部分とされている。
【００４２】
電極間領域Ａ１の前後方向略中央部は、略矩形状のヒューズ載置部９７とされており、ヒューズ載置部９７の前側に前側中央台座９６が配されている。ヒューズ載置部９７の後側には、外部機器用の外部接続バスバ６０が配される後側中央台座９８が設けられている。
【００４３】
外部接続バスバ６０は、後側中央台座９８から右方に延びた後、前方に屈曲した形態をなしており、外部接続バスバ６０の右側端部は、保持部材８０の右側端部に設けられた右側台座８８上に配置されるようになっている。
【００４４】
ヒューズ７０は、平面視略矩形状のヒューズ本体（「素子本体」の一例）７１と、ヒューズ本体７１の側面に設けられた３つのリード部７２とを備えて構成されている。
【００４５】
３つのリード部７２のうち、ヒューズ本体７１の一の側面（後側の側面）に設けられたリード部７２は、前側出力バスバ５５Ｆの前側ボルト締結部５７に接続される平板状の第１リード部７３とされている。第１リード部７３には、板厚方向に貫通して設けられたボルト挿通孔７３Ａが設けられており、第１リード部７３のボルト挿通孔７３Ａと前側ボルト締結部５７に設けられた締結孔５７ＡとにボルトＢを挿通して前側中央台座９６のナットＮにボルトＢを締め込むことにより第１リード部７３と前側ボルト締結部５７とが電気的に接続された状態で保持されるようになっている。
【００４６】
また、３つのリード部７２のうち、ヒューズ本体７１において第１リード部７３が設けられた面とは反対側に位置する他の側面（前側の側面）に設けられたリード部７２は、外部接続バスバ６０に接続される第２リード部７４とされている。第２リード部７４には、板厚方向に貫通して設けられたボルト挿通孔７４Ａが設けられており、第２リード部７４のボルト挿通孔７４Ａと外部接続バスバ６０に設けられた図示しない締結孔とにボルトＢを挿通して後側中央台座９８のナットＮにボルトＢを締め込むことにより第２リード部７４と外部接続バスバ６０とが電気的に接続された状態で保持されるようになっている。
【００４７】
また、３つのリード部７２のうち、ヒューズ本体７１において第１リード部７３が設けられた面および第２リード部７４が設けられた面と隣り合う面（左側の側面）に設けられたリード部７２は、コネクタＣＮを介して基板Ｐに接続された制御線Ｗ１に接続される第３リード部７５とされている。
【００４８】
第３リード部７５は、図２および図４に示すように、保持部材８０の右側において蓄電素子２１の並び方向に沿って並ぶ２つの接続バスバ保持部８２の間に配されている。つまり、保持部材８０の右側に配された２つの接続バスバ保持部８２に保持される２つの接続バスバ５０の間は、蓄電素子群２０の電極端子２２に接続された接続バスバ５０や出力バスバ５５が配されないバスバ間領域Ａ２とされている。また、このバスバ間領域Ａ２は、電極間領域Ａ１の右側に連なった領域とされ、バスバ間領域Ａ２の前後方向の長さ寸法は、保持部材８０の左側に配された接続バスバ保持部８２の前後方向の長さ寸法とほぼ同じ長さに設定されている。
【００４９】
バスバ間領域Ａ２におけるヒューズ載置部９７の右側には、右側中央台座８９が設けられており、第３リード部７５と制御線Ｗ１の端末に接続された丸形端子Ｔのボルト挿通孔Ｔ１にボルトＢを挿通して右側中央台座８９のナットＮにボルトＢを締め込むことにより第３リード部７５と丸形端子Ｔとが電気的に接続された状態で保持されるようになっている。
【００５０】
ヒューズ本体７１は、第１リード部７３と第２リード部７４との間に流れる電流が定格以上となった場合に、内部の金属を溶断させ、第１リード部７３と第２リード部７４との間の電流を遮断する。
また、ヒューズ本体７１は、基板Ｐから制御線Ｗ１を通じて電流を流し、第３リード部７５が加熱されることにより、内部の金属を溶断させ、第１リード部７３と第２リード部７４との間の電流を遮断する。
【００５１】
すなわち、蓄電素子群２０の正極もしくは負極のいずれか一方の極性の電力を出力する前側出力バスバ５５Ｆに接続された第１リード部７３と、外部機器用の外部接続バスバ６０に接続された第２リード部７４との間を流れる電流が、例えば、蓄電素子群２０と外部機器との間の不具合によって定格以上となった場合には、ヒューズ７０において電流が遮断することができるようになっている。また、例えば、蓄電素子群２０のいずれかの蓄電素子２１が過放電となる虞がある場合には、基板Ｐから制御線Ｗ１を通じて第３リード部７５を加熱し、ヒューズ本体７１において電流を遮断することで、蓄電素子２１が過放電となることを防ぐようになっている。
【００５２】
本実施形態は、以上のような構成であって、続いて、接続モジュール４０の作用および効果について説明する。
【００５３】
従来、蓄電モジュールのケース内に収容される接続モジュールは、直列に接続された電池モジュールの間に接続モジュールとは別にヒューズ等を有する安全装置を設け、安全性を確保している。しかしながら、このような構成では、ケース内に接続モジュールとは別に安全装置のためのスペースを確保する必要があり、ケース内における設計自由度が小さくなってしまう。また、設計自由度を確保しつつ、安全装置を設ける場合には、ケース内に安全装置を配置するためのスペースを確保する必要があるため、蓄電モジュールが大型化することが懸念される。
【００５４】
また、一般に、複数の蓄電素子が直列に接続された蓄電素子群の電力を出力する出力バスバに接続されるヒューズは、蓄電素子群の出力に合わせて大型化する傾向にあるため、接続モジュールとは別に安全装置を設ける場合には、安全装置を配置するスペースの確保がさらに困難となってしまう。
ところが、本実施形態によると、蓄電素子群２０と外部機器との間の電流を遮断するヒューズ７０を、本来であればデッドスペースとなる電極間領域Ａ１に取り付けている。
【００５５】
詳しくは、蓄電素子群２０側の前側出力バスバ５５Ｆに接続される第１リード部７３と、外部機器側の外部接続バスバ６０に接続される第２リード部７４と、これらの間の電流を遮断するヒューズ本体７１とを電極間領域Ａ１に配置しているから、保持部材８０上に余裕をもってヒューズ７０を配置することができ、接続モジュール４０とは別にヒューズ７０を有する安全装置を別途構成することを不要とすることができる。これにより、接続モジュール４０が大型化することを抑制しつつ、安全性を確保することができる。
【００５６】
また、本実施形態によると、蓄電素子群２０と外部機器との間の電流が定格以上となった場合だけでなく、蓄電素子群２０のいずれかの蓄電素子２１が過放電となることを防ぐ為に設けられた第３リード部７５をバスバ間領域Ａ２に配置しいている。
【００５７】
すなわち、第３リード部７５についても、本来であればデッドスペースとなるバスバ間領域Ａ２に配置しているから、保持部材８０において電極端子２２およびバスバ４１などの配置場所の自由度が損なわれることを防ぎつつ、接続モジュール４０が大型化することを抑制することができるようになっている。
【００５８】
以上のように、本実施形態によると、本来であれば、保持部材８０においてデッドスペースとなる電極間領域Ａ１とバスバ間領域Ａ２とにヒューズ７０のニューズ本体７１と３つのリード部７２を配置しているから、接続モジュール４０とは別にヒューズを有する安全装置を別途構成することを不要とするだけでなく、接続モジュール４０が大型化することを抑制しつつ、安全性を確保することができる。
【００５９】
ひいては、接続モジュール４０を収容する蓄電モジュール１０のケースＣ内の設計自由度を向上させることができると共に、蓄電モジュール１０が大型化することを抑制することができる。
【００６０】
＜他の実施形態＞
本明細書で開示される技術は上記記述及び図面によって説明した実施形態に限定されるものではなく、例えば次のような種々の態様も含まれる。
（１）上記実施形態では、蓄電素子群２０の蓄電素子２１が前後方向に４つ重なるように並べた構成とした。しかしながら、これに限らず、蓄電素子を５つ以上重ねて並べた蓄電素子群に構成してもよい。
【００６１】
（２）上記実施形態では、蓄電素子群２０の全ての蓄電素子２１を直列に接続する構成とした。しかしながら、これに限らず、一部の蓄電素子を並列に接続した蓄電素子群を構成してもよい。
【００６２】
（３）上記実施形態では、蓄電素子２１がラミネート型の電池であって、電極端子２２を箔状に構成し、電極端子２２と接続バスバ５０とを溶接によって接続する構成とした。しかしながら、これに限らず、蓄電素子が箱形の電池であってもよく、電極端子がボルト状をなし、電極端子と接続バスバとがボルト締結される構成としてもよい。
【００６３】
（４）上記実施形態では、ヒューズ本体７１に第３リード部７５が設けられたヒューズ７０を構成した。しかしながら、これに限らず、ヒューズ本体に第１リード部と第２リード部のみが設けられたヒューズに構成してもよい。
【００６４】
（５）上記実施形態では、ヒューズ本体７１の内部において金属が溶断されることで、第１リード部７３と第２リード部７４との間の電流を遮断するヒューズ７０を構成した。しかしながら、これに限らず、ＭＯＳＦＥＴなどの半導体スイッチ素子などの電流遮断素子により、第１リード部と第２リード部との間の電流が遮断する構成としてもよい。
【符号の説明】
【００６５】
１０：蓄電モジュール
２０：蓄電素子群
２１：蓄電素子
２２：電極端子
４０：接続モジュール
４１：バスバ
５０：接続バスバ
５５：出力バスバ
６０：外部接続バスバ
７０：ヒューズ（「電流遮断素子」の一例）
７１：ヒューズ本体（「素子本体」の一例）
７３：第１リード部
７４：第２リード部
７５：第３リード部
８０：保持部材
Ａ１：電極間領域
Ａ２：バスバ間領域
Ｐ：基板
【図１】
2020009583.tif 000003
【図２】
2020009583.tif 000004
【図３】
2020009583.tif 000005
【図４】
2020009583.tif 000006
【図５】
2020009583.tif 000007
【図６】
2020009583.tif 000008